(57)【要約】      （修正有）【課題】カバーを位置固定できる枢軸構造を備えた作動装置を提供する。【解決手段】枢軸構造はケース本体１０およびケース本体に可動的に取付けられている開閉カバー２０に設けられている。ケース本体には開口部が設けられており、その開口部の一側面には位置固定回転軸１１が設けられるとともに、位置固定回転軸には係合部１１１が設けられている。開閉カバーの一側面には弾性板体２１が設けられている。弾性板体には貫通穴２１１が設けられるとともに、貫通穴には弾性アーム２１２が形成されている。ケース本体の位置固定回転軸は前記開閉カバーの貫通穴に挿設されて前記弾性アームの内側に位置する。弾性アームの内側には少なくとも一つの係合溝２１３が設けられており、位置固定回転軸の係合部と係合する。さらに、この枢軸構造が作動装置のケース本体および開閉カバーに設置されることで、開閉カバーの回転時に確実に位置固定することができる。【選択図】図７
2011090960.tif 000002
【特許請求の範囲】
【請求項１】
回転位置固定可能な枢軸構造を備えた作動装置であって、
収容空間および前記収容空間に連通している開口部が設けられ、しかも係合部を有する位置固定回転軸が前記開口部の一側面に設けられているケース本体と、
前記収容空間に設けられており、前記開口部から露出している複数の接続端子が設けられている回路基板と、
一側面に弾性板体が設けられており、前記弾性板体には貫通穴が設けられるとともに、前記貫通穴には弾性アームが形成されており、前記ケース本体の開口部内に可動的に取付けられている開閉カバーと、を備えており、
前記開閉カバーの位置固定回転軸は前記開閉カバーの貫通穴に挿設されて前記弾性アームの内側に位置し、前記弾性アームの内側には少なくとも一つの係合溝が設けられており、前記係合溝は前記位置固定回転軸の係合部との係合を提供することを特徴とする回転位置固定可能な枢軸構造を備えた作動装置。
【請求項２】
前記ケース本体は前記位置固定回転軸に隣接する位置にリブが設けられており、前記開閉カバーの弾性板体には当接部が対応して設けられており、前記リブが前記当接部に当接することを特徴とする請求項１に記載の回転位置固定可能な枢軸構造を備えた作動装置。
【請求項３】
前記当接部の断面が凹字状をなしており、前記当接部の外側面の高さがその中間面の高さ以上であることを特徴とする請求項２に記載の回転位置固定可能な枢軸構造を備えた作動装置。
【請求項４】
前記リブの断面がＬ字状をなしており、その末端には突出部が設けられており、前記突出部には面取り角が設けられていることを特徴とする請求項２に記載の回転位置固定可能な枢軸構造を備えた作動装置。
【請求項５】
前記位置固定回転軸の末端には面取り角が設けられていることを特徴とする請求項１に記載の回転位置固定可能な枢軸構造を備えた作動装置。
【請求項６】
前記位置固定回転軸がその一側面に沿って延在し且つ徐々に縮小するとともに、その上端部には前記係合部が形成されていることを特徴とする請求項１に記載の回転位置固定可能な枢軸構造を備えた作動装置。
【請求項７】
前記開閉カバーには係止爪がさらに設けられており、前記ケース本体には係止溝が対応して設けられており、前記係止爪が前記係止溝内に係止されることを特徴とする請求項１に記載の回転位置固定可能な枢軸構造を備えた作動装置。
【請求項８】
前記開閉カバーは前記開口部の他方の側に回転軸が設けられており、そして前記開閉カバーには軸穴が対応して設けられており、前記回転軸が前記軸穴内に挿設されていることを特徴とする請求項１に記載の回転位置固定可能な枢軸構造を備えた作動装置。
【請求項９】
回転位置固定可能な枢軸構造であって、
開口部が設けられ、前記開口部の一側面に位置固定回転軸が設けられ、前記位置固定回転軸には係合部が設けられているケース本体と、
一側面に弾性板体が設けられており、前記弾性板体には貫通穴が設けられるとともに、前記貫通穴には弾性アームが形成されており、前記ケース本体の開口部内に可動的に取付けられている開閉カバーと、を備えており、
前記開閉カバーの位置固定回転軸は前記開閉カバーの貫通穴に挿設されて前記弾性アームの内側に位置し、前記弾性アームの内側には少なくとも一つの係合溝が設けられており、前記係合溝は前記位置固定回転軸の係合部との係合を提供することを特徴とする回転位置固定可能な枢軸構造。
【請求項１０】
前記ケース本体は前記位置固定回転軸に隣接する位置にリブが設けられており、前記開閉カバーの弾性板体には当接部が対応して設けられており、前記リブが前記当接部に当接することを特徴とする請求項９に記載の回転位置固定可能な枢軸構造。
【請求項１１】
前記当接部の断面が凹字状をなしており、前記当接部の外側面の高さがその中間面の高さ以上であることを特徴とする請求項１０に記載の回転位置固定可能な枢軸構造。
【請求項１２】
前記リブの断面がＬ字状をなしており、その末端には突出部が設けられており、前記突出部には面取り角が設けられていることを特徴とする請求項１０に記載の回転位置固定可能な枢軸構造。
【請求項１３】
前記位置固定回転軸の末端には面取り角が設けられていることを特徴とする請求項９に記載の回転位置固定可能な枢軸構造。
【請求項１４】
前記位置固定回転軸がその一側面に沿って延在し且つ徐々に縮小するとともに、その上端部には前記係合部が形成されていることを特徴とする請求項９に記載の回転位置固定可能な枢軸構造。
【請求項１５】
前記開閉カバーには係止爪がさらに設けられており、前記ケース本体には係止溝が対応して設けられており、前記係止爪が前記係止溝内に係止されることを特徴とする請求項９に記載の回転位置固定可能な枢軸構造。
【請求項１６】
前記開閉カバーは前記開口部の他方の側に回転軸が設けられており、そして前記開閉カバーには軸穴が対応して設けられており、前記回転軸が前記軸穴内に挿設されていることを特徴とする請求項９に記載の回転位置固定可能な枢軸構造。
【発明の詳細な説明】
【技術分野】
【０００１】
本発明は枢軸に関し、特に位置固定機能を備えた枢軸構造に関する。
【背景技術】
【０００２】
一般的なモータまたはその他電子機器は稼働時に、作動装置を用いてその運転を制御し、作動装置を制御することにより、所望の出力電流または回転速度が得られる。
【０００３】
従来の作動装置の多くは、回路設計用として、回路基板と、前記回路基板上に実装されているコントローラチップと、抵抗器と、キャパシタなどの電子素子とを備えており、そして前記回路基板上には、駆動回転を制御する目的を達成するために、モータまたは電子機器のリード線に選択的、電気的に接続するのに供される複数の接続端子がさらに設けられている。
【発明の概要】
【発明が解決しようとする課題】
【０００４】
作動装置の回路を湿度または埃から守るために、作動装置をケース内に密封した製品が実用化されているが、作動装置の接続端子は電気的な接続のためにケースから露出させなければならないため、接続端子の箇所にさびが生じたり、埃が溜まったりする不具合が起きやすく、また使用中に、接続端子に誤って触れてしまい故障を引き起こすことも多い。
【０００５】
したがって、前記複数の接続端子の上方に可動式の端子カバーを設けて、カバーを開けた後には前記端子に接続して、接続完了後には前記端子カバーを閉じることができるようにして、上記問題を解決するというのも一つの方式である。ただし、上記構造においても、前記作動装置の端子カバーは回転可能であるものの、固定できないため、カバーを開いた後でもまたカバーが閉じて端子を塞いでしまいやすく、または位置固定機能を備えた枢軸構造があったが、設計が複雑になりすぎて使用者が正しく使用できず、場合によっては製品を破損してしまうことがあった。
【０００６】
これに鑑み、本発明者は上記した欠点を改善して解決するために、研究を重ねるとともに学理的な運用を組み合わせて、設計が合理的でしかも上記欠点を効果的に改善する本発明を発案した。
【課題を解決するための手段】
【０００７】
本発明の目的は、ケース内の接続端子への電気的な接続を行いやすくするために、カバーの開閉時に当該カバーを位置固定できる回転位置固定の枢軸構造を備えた作動装置を提供するところにある。
【０００８】
本発明の他の目的は、使用者の利便性を高めるために、回転位置固定の枢軸構造を備えた作動装置を提供するところにある。
【０００９】
上記目的を達成するために、本発明は回転位置固定の枢軸構造を備えた作動装置であって、ケース本体と、回路基板と、開閉カバーとを備えている。ケース本体は収容空間と、前記収容空間に連通している開口部とを備えており、しかも前記ケース本体は前記開口部の一側面に位置固定回転軸が設けられている。前記位置固定回転軸には係合部が設けられている。回路基板は前記収容空間に設けられている。前記回路基板には複数の接続端子が設けられており、前記複数の接続端子は前記開口部に露出している。開閉カバーは前記ケース本体の開口部内に可動的に取付けられており、前記開閉カバーの一側面には弾性板体が設けられている。前記弾性板体には貫通穴が設けられるとともに、前記貫通穴には弾性アームが形成されている。前記ケース本体の位置固定回転軸は前記開閉カバーの貫通穴に挿設されて前記弾性アームの内側に位置する。前記弾性アームの内側には少なくとも一つの係合溝が設けられており、前記係合溝は前記位置固定回転軸の係合部との係合を提供する。
【００１０】
本発明の他の目的は、ケース本体には位置固定回転軸が設けられ、またケース本体に取付けられている開閉カバーには貫通穴と弾性アームが設けられており、位置固定回転軸を弾性アームの内側に挿設されることで、前記位置固定回転軸を係合し固定する回転位置固定可能な枢軸構造を提供するところにある。
【００１１】
本発明のさらに他の目的は、組付けしやすい回転位置固定可能な枢軸構造を提供するところにある。
【００１２】
上記目的を達成するために、本発明は回転位置固定可能な枢軸構造であって、ケース本体と、開閉カバーとを備えている。ケース本体は開口部が設けられ、しかも前記ケース本体は前記開口部の一側面に位置固定回転軸が設けられている。前記位置固定回転軸には係合部が設けられている。開閉カバーは前記ケース本体の開口部内に可動的に取付けられており、前記開閉カバーの一側面には弾性板体が設けられている。前記弾性板体には貫通穴が設けられるとともに、前記貫通穴には弾性アームが形成されている。前記ケース本体の位置固定回転軸は前記開閉カバーの貫通穴に挿設されて前記弾性アームの内側に位置する。前記弾性アームの内側には少なくとも一つの係合溝が設けられており、前記係合溝は前記位置固定回転軸の係合部との係合を提供する。
【発明の効果】
【００１３】
従来技術と比べるに、本発明の回転位置固定可能な枢軸構造では、ケース本体に位置固定回転軸およびリブが設けられ、また開閉カバー上には貫通穴と当接部とを有する弾性板体が設けられることで、位置固定回転軸を貫通穴内に位置決めするとともに、リブを当接部に押圧し当接させて弾性変形が生じ、弾性板体がリブに当接することで位置固定の摩擦抵抗が増加する。さらに、本発明の枢軸構造は設計が簡単で、開閉カバーはケース本体に組付けしやすく、本発明の実用性および利便性をより高める。
【図面の簡単な説明】
【００１４】
【図１】本発明の回転位置固定可能な枢軸構造の立体分解図である。
【図２】図１におけるＡ部分の拡大概略図である。
【図３】図１におけるＢ部分の拡大概略図である。
【図４】図３の他方から見た図である。
【図５】図１におけるＣ部分の拡大概略図である。
【図６】本発明の回転位置固定可能な枢軸構造の立体組み立て図である。
【図７】図６における７−７線の断面図である。
【図８】図７における８−８線の断面図である。
【図９】本発明の回転位置固定可能な枢軸構造を約４５度回転させたときの断面図である。
【図１０】本発明の回転位置固定可能な枢軸構造を約４５度回転させたときの他の断面図である。
【図１１】本発明の回転位置固定可能な枢軸構造を約９０度回転させたときの断面図である。
【図１２】本発明の回転位置固定可能な枢軸構造を約９０度回転させたときの他の断面図である。
【図１３】本発明の回転位置固定可能な枢軸構造の応用における概略図である。
【発明を実施するための形態】
【００１５】
本発明の詳細な説明および技術内容については、図面を合わせて下記のとおり説明する。しかし図面は単に参考および説明用に過ぎず、しかも本発明を限定するためのものではない。
【００１６】
図１ないし図６を参照されたい。これらは本発明の回転位置固定可能な枢軸構造の立体分解の概略図、一部拡大図および立体組み立て図である。本発明の枢軸構造１はケース本体１０および開閉カバー２０に設けられており、前記枢軸構造１により前記開閉カバー２０は前記ケース本体１０に可動的に取付けられて、さらに回転し位置固定可能となっている。
【００１７】
図２を参照されたい。これは図１におけるＡ部分の拡大概略図である。前記ケース本体１０には開口部１０１と、前記開口部１０１に連通している収容空間１００とが設けられている。前記ケース本体１０は前記開口部１０１の一側面に位置固定回転軸１１が設けられている。前記位置固定回転軸１１はその一側面に沿って延在し且つ徐々に縮小するとともに、その上端部には係合部１１１が形成されている。前記位置固定回転軸１１の末端には面取り角１１２が設けられている。そして、前記ケース本体１０は前記位置固定回転軸１１に隣接する位置にリブ１２が設けられている。本実施例においては、前記リブ１２の断面はＬ字状をなしており、その末端が突出部１２１であって、前記突出部１２１には面取り角１２２が設けられている。
【００１８】
さて図３を参照されたい。これは図１におけるＢ部分の拡大概略図である。前記開閉カバー２０は前記ケース本体１０の開口部１０１内に可動的に取付けられており、前記開閉カバー２０の一側面で、前記ケース本体１０の位置固定回転軸１１に対応する位置には弾性板体２１が設けられている。前記弾性板体２１には貫通穴２１１が設けられるとともに、前記貫通穴２１１内には弾性アーム２１２が形成されている。前記ケース本体１０の位置固定回転軸１１は前記開閉カバー２０の貫通穴２１１に挿設されて前記弾性アーム２１２の内側に位置している。前記弾性アームの内側には少なくとも一つの係合溝２１３が設けられている。前記係合溝２１３は前記位置固定回転軸１１の係合部１１１に係止される。
【００１９】
図４を参照されたい。これは図３の他方から見た図である。前記開閉カバー２０の弾性板体２１は前記ケース本体１０のリブ１２に対応して当接部２２が設けられているので、前記ケース本体１０の位置固定回転軸１１が前記貫通穴２１１に挿設されたとき、前記リブ１２が前記当接部２２上に当接する。前記当接部２２の断面は凹字状をなしており、その二つの外側面２２１、２２３の高さはその中間面２２２の高さ以上である。また、前記開閉カバー２０には係止爪２３がさらに設けられている。前記ケース本体１０には係止溝１３が対応して設けられている（図１を参照のこと）。前記係止爪２３が前記係止溝１３内に係止されて、前記開閉カバー２０で前記ケース本体１０の開口部１０１の上方を覆うようになっている。
【００２０】
続けて図５を参照されたい。図１におけるＣ部分の他の角度から見た拡大概略図である。本実施例においては、前記開閉カバー２０の他方の側にも弾性板体２１’が設けられており、前記弾性板体２１’には軸穴２１０’と、当接部２２’とが設けられている。前記ケース本体１０は前記開口部１０１の他方の側には回転軸１１’と、リブ１２’とが対応して設けられている。前記回転軸１１’およびリブ１２’には面取り角１１１’、１２１’がそれぞれ設けられている。このうち、前記回転軸１１’は前記軸穴２１０’内に挿設され、前記リブ１２’は前記当接部２２’上に当接する。当然のこと、前記弾性板体２１’および回転軸１１’も、前記弾性板体２１および位置固定回転軸１１と同じ構造となるようそれぞれ設けられている。
【００２１】
図６を参照されたい。これは本発明の回転位置固定可能な枢軸構造の立体組み立て図である。前記枢軸構造１は組み立て時に、前記位置固定回転軸１１、リブ１２、１２’および回転軸１１’の末端には面取り角が設けられているので、前記開閉カバー２０に力を加えたとき、前記ケース本体１０の位置固定回転軸１１および回転軸１１’を前記開閉カバー２０の貫通穴２１１および軸穴２１０’内にそれぞれ挿入することができる。
【００２２】
図７および図８を参照されたい。これらは本発明の回転位置固定可能な枢軸構造を閉じたときの二枚の断面図である。図から理解できるように、前記係止爪２３は前記係止溝１３に係止されている。前記位置固定回転軸１１は前記弾性アーム２１２の内側に位置するとともに、前記位置固定回転軸１１の係合部１１１を前記貫通穴２１１の係合溝２１３内に固定する（本実施例では二つの係合溝２１３、２１３’が設けられている）。このとき、前記リブ１２は前記当接部２２の外側面２２３上に押圧され当接して（図７における点線部分を参照のこと）、前記弾性板体２１に弾性変形を生じさせて前記外側面２２３上に当接することで、この位置での固定における摩擦抵抗を増加させる。
【００２３】
図９および図１０を参照されたい。これらは本発明の回転位置固定可能な枢軸構造を約４５度回転させたときの二枚の断面図である。前記開閉カバー２０を約４５度回転させたとき、前記位置固定回転軸１１の係合部１１１が前記係合溝２１３、２１３’の間の円弧面２１４に当接して、そして前記リブ１２は前記当接部２２の中間面２２２上に位置する（図９における点線部分を参照のこと）。このとき、前記位置固定回転軸１１の係合部１１１は前記円弧面２１４に押圧され当接して、前記弾性アーム２１２に弾性変形を生じさせて前記係合部１１１に当接することで、この位置での固定における摩擦抵抗を提供する。
【００２４】
図１１および図１２を参照されたい。これらは本発明の回転位置固定可能な枢軸構造を約９０度回転させたときの二枚の断面図である。前記位置固定回転軸１１の係合部１１１が他方の係合溝２１３’内に係合されており、前記リブ１２は前記当接部２２の外側面２２１上に押圧され当接して（図１１における点線部分を参照のこと）、前記弾性板体２１に弾性変形を生じさせて前記外側面２２１上に当接することで、この位置での固定における摩擦抵抗を増加させる。また、前記貫通穴２１１内における係合溝２１３、２１３’の位置、設置数および前記位置固定回転軸１１の係合部１１１はいずれも必要に応じて調整および変化させて、実際の需要に合わせても良い。
【００２５】
さらに図１３を参照されたい。これは本発明の回転位置固定可能な枢軸構造の応用における概略図である。本実施例においては、前記枢軸構造１が作動装置２に応用されている。実際の使用において、前記収容空間１００（図１を参照のこと）内には回路基板３０が設けられる。前記回路基板３０には複数の接続端子３１が設けられており、しかも前記複数の接続端子３１は前記開口部１０１から露出している。前記複数の接続端子３１を接続したいときには、前記開閉カバー２０を回転させれば確実に、しかもしっかりと開き状態に固定することができる。前記枢軸構造１を設置することで、前記開閉カバー２０が戻って前記開口部１０１を塞ぐことがなくなり、使用者が前記作動装置２を使用しやすくなる。
【００２６】
上記は本発明の好ましい実施例に過ぎず、本発明の特許請求の範囲を限定するためのものではなく、本発明の技術的思想を運用したその他の等価性の変化は、いずれも本発明の特許範囲に含まれるものである。
【符号の説明】
【００２７】
１            枢軸構造
２            作動装置
１０            ケース本体
１００            収容空間
１０１            開口部
１１            位置固定回転軸
１１’            回転軸
１１１’          面取り角
１１１            係合部
１１２            面取り角面
１２            リブ
１２’            リブ
１２１’          面取り角
１２１            突出部
１２２            面取り角
１３            係止溝
２０            開閉カバー
２１            弾性板体
２１’            弾性板体
２１０’          軸穴
２１１            貫通穴
２１２            弾性アーム
２１３            係合溝
２１３’          係合溝
２１４            円弧面
２２            当接部
２２’            当接部
２２１            外側面
２２２            中間面
２２３            外側面
２３            係止爪
３０            回路基板
３１            接続端子
【図１】
2011090960.tif 000003
【図２】
2011090960.tif 000004
【図３】
2011090960.tif 000005
【図４】
2011090960.tif 000006
【図５】
2011090960.tif 000007
【図６】
2011090960.tif 000008
【図７】
2011090960.tif 000009
【図８】
2011090960.tif 000010
【図９】
2011090960.tif 000011
【図１０】
2011090960.tif 000012
【図１１】
2011090960.tif 000013
【図１２】
2011090960.tif 000014
【図１３】
2011090960.tif 000015